(57)【要約】【課題】  部品点数が少なく組立構造が簡単で、低コストでの生産が可能であり、固定強度が大きく、高精度の組立が可能な光伝送コネクタおよび電子機器を提供する。【解決手段】  光伝送コネクタ１は、ホルダー部２と、光プラグ３を収容する光プラグ収容部４の開閉を行なうシャッター機構部５と、光電効果素子を収容する素子収容部６と、ホルダー部２を実装基板４０へ実装して固定するための固定用板金８とを備えている。固定用板金８は、ホルダー部２の側部に当接して係合され、適宜の位置でホルダー部２の底部から突出させて実装基板４０に嵌合できる固定用端子部８ｔを有する。固定用端子部８ｔには、長さ方向に屈曲部８ｃが形成してある。固定用板金８は、位置決め突起部２ｐに対応させて位置決め凹部８ｄを有し、嵌合スリット２ｓに嵌合する形状としてある。【選択図】  図１
2007065366.tif 000002
【特許請求の範囲】
【請求項１】
光電効果素子を収容する素子収容部および光プラグを収容する光プラグ収容部を構成するホルダー部と、前記光プラグ収容部の開閉を行うシャッター機構部と、前記ホルダー部を実装基板に固定する固定用板金とを備える光伝送コネクタにおいて、
前記固定用板金は、前記ホルダー部の底部から突出する固定用端子部の長さ方向に屈曲部を有することを特徴とする光伝送コネクタ。
【請求項２】
前記屈曲部は楔状であることを特徴とする請求項１に記載の光伝送コネクタ。
【請求項３】
前記固定用板金は、前記ホルダー部に設けられた位置決め突起部に係合する位置決め凹部を有することを特徴とする請求項１または請求項２に記載の光伝送コネクタ。
【請求項４】
前記固定用板金は、前記ホルダー部に設けられた嵌合スリットに嵌合する構成としてあることを特徴とする請求項１ないし請求項３のいずれか一つに記載の光伝送コネクタ。
【請求項５】
前記固定用板金は、前記ホルダー部の左右側部に対称的に配置してあることを特徴とする請求項１ないし請求項４のいずれか一つに記載の光伝送コネクタ。
【請求項６】
前記ホルダー部の左右側部に配置された前記固定用板金は、前記ホルダー部の上部で連結してあることを特徴とする請求項３ないし請求項５のいずれか一つに記載の光伝送コネクタ。
【請求項７】
前記シャッター機構部のシャッター板は、シャッター板を閉じる方向に付勢するばねの一端を保持するばね端保持凹部を有することを特徴とする請求項１ないし請求項６のいずれか一つに記載の光伝送コネクタ。
【請求項８】
前記シャッター板は、前記ばねを係合するばね取り付け軸を有することを特徴とする請求項７に記載の光伝送コネクタ。
【請求項９】
前記シャッター板は、前記ばねが外れることを防止するばね外れ防止部を前記ばね取り付け軸に対応させて有することを特徴とする請求項８に記載の光伝送コネクタ。
【請求項１０】
光プラグを前記光プラグ収容部に挿入したとき、前記ばねは前記ホルダー内に収容される構成としてあることを特徴とする請求項７ないし請求項９のいずれか一つに記載の光伝送コネクタ。
【請求項１１】
光プラグを前記光プラグ収容部に挿入するとき、前記ばねの他端は前記ホルダー内を摺動する構成としてあることを特徴とする請求項７ないし請求項１０のいずれか一つに記載の光伝送コネクタ。
【請求項１２】
前記ばねの他端は前記ホルダー内に設けたばねガイド溝部に沿って摺動することを特徴とする請求項１１に記載の光伝送コネクタ。
【請求項１３】
前記ホルダーの底面は、前記シャッター機構部に対応させてフラックス這い上がり防止用の底面凹部を有することを特徴とする請求項１ないし請求項１２のいずれか一つに記載の光伝送コネクタ。
【請求項１４】
前記光電効果素子は、受光素子または発光素子であることを特徴とする請求項１ないし請求項１３のいずれか一つに記載の光伝送コネクタ。
【請求項１５】
光プラグを接続してある光伝送コネクタにおいて、前記光伝送コネクタは請求項１ないし請求項１４のいずれか一つに記載の光伝送コネクタであることを特徴とする光伝送コネクタ。
【請求項１６】
光伝送コネクタを備える電子機器において、前記光伝送コネクタは請求項１５に記載の光伝送コネクタであることを特徴とする電子機器。
【発明の詳細な説明】
【技術分野】
【０００１】
本発明は、ＤＶＤプレーヤー、ＤＶＤレコーダ、液晶ＴＶ、ＳＴＢ（セットトップボックス：衛星放送のアダプタ装置）、ＡＶレシーバーなどの電子機器に用いられる光伝送コネクタおよび光伝送コネクタを用いた電子機器に関する。
【背景技術】
【０００２】
電気信号を光信号として伝送する光伝送コネクタが提案されている。光伝送コネクタは、光ファイバーを用いた光ファイバーリンクとして構成され、電気信号に起因する雑音を確実に排除できる伝送系として、高度の耐雑音特性を要求されるＤＶＤプレーヤー、ＤＶＤレコーダ、液晶ＴＶ、ＳＴＢ、ＡＶレシーバーなどに採用されつつある。
【０００３】
光伝送コネクタは、これらの電子機器の実装基板にビスで固定されていたが、作業性および外観上の観点から、実装基板に直接取り付ける自立タイプの光伝送コネクタが要求されてきている。
【０００４】
送信部または受信部として機能する光伝送コネクタには、光電効果素子を収容する素子収容部（受光素子部、発光素子部）と光ファイバーケーブルで構成される光プラグを収容するプラグ収容部にホコリ、異物が浸入することを防止し、また、光漏れに対する目の保護を行なうためのシャッター機構が設けられている。シャッター機構は、光プラグの挿抜に応じて蓋（シャッター板）が開閉する構成としてある。
【０００５】
光伝送コネクタは、受光素子または発光素子の光電効果素子を収容する素子収容部と、光信号伝送用の光プラグを収納する光プラグ収容部を備えたホルダー部と、光プラグ収容部の開閉を行なうシャッター機構と、シャッター機構のシャッター板を閉じる方向に付勢するばね（コイルばね）とを備えており、また、ホルダー部を実装基板に実装固定するための固定用板金を有している。
【０００６】
図８は、従来の光伝送コネクタを光プラグの挿入側から見た正面図である。
【０００７】
従来の光伝送コネクタ１０１は、ホルダー部１０２の正面に光プラグ（不図示）を挿入するための挿入口となるシャッター機構部１０５を備える。ホルダー部１０２の内部に収容された光電効果素子（不図示）のリード端子１０７と、ホルダー部１０２を実装基板１４０（図９参照）に実装して固定するための固定用板金１０８（図９参照）の固定用端子部１０８ｔとがそれぞれホルダー部１０２の底面から突出している。固定用端子部１０８ｔには実装基板１４０に対してホルダー部１０２を係止するための半球状のボッチ１０８ｂが形成してある。
【０００８】
図９は、従来の光伝送コネクタの固定用板金の作用を説明する説明図であり、（Ａ）は光プラグの挿入側から見た部分断面を含む正面図であり、（Ｂ）は（Ａ）の左側面図である。なお、同図（Ａ）の実装基板１４０は嵌合孔１４０ｈに対応する位置での断面を示し、同図（Ｂ）での実装基板１４０は同図（Ａ）の矢符Ｂ−Ｂでの断面を示す。
【０００９】
光伝送コネクタ１０１を実装基板１４０に装着した場合、ホルダー部１０２を実装基板１４０に固定するための固定用板金１０８の先端に形成された固定用端子部１０８ｔは、実装基板１４０に形成された嵌合孔１４０ｈに挿入されてホルダー部１０２を実装基板１４０に固定、保持する。
【００１０】
固定用端子部１０８ｔに形成されたボッチ１０８ｂは、実装基板１４０の板厚と整合する位置に形成してあることから、実装基板１４０の底面１４０ｂｓ（嵌合孔１４０ｈの開口端部）で実装基板１４０と当接、係合することとなる。しかし、ボッチ１０８ｂは、半球状に形成してあることから、当接、係合は半球状の最大径の部分で点状に行われるに過ぎない。したがって、外力がホルダー部１０２に加えられた場合に、半球状の線に沿って可動状態となり、外力に応じて固定用端子部１０８ｔが揺動する。つまり、ホルダー部１０２を安定した状態で固定するためのボッチ１０８（固定用端子部１０８ｔ）が所期の目的を達成せず、光プラグ（不図示）との接続を安定して行なうことができないという問題があった。
【００１１】
図１０は、従来の光伝送コネクタの組立状況を説明する分解側面図である。
【００１２】
従来の光伝送コネクタ１０１を構成するホルダー部１０２は、前ハウジング部１０２ｆと後ハウジング部１０２ｒとに２分割されている。
【００１３】
次に示す過程の順にしたがって、前ハウジング部１０２ｆと後ハウジング部１０２ｒを結合して光伝送コネクタ１０１を組み立てる。
【００１４】
まず、シャッター板１１０を組み込んだシャッター機構部１０５を前ハウジング部１０２ｆへ内側から取り付ける。また、後ハウジング部１０２ｒに設けてあるコイルばね保持支柱１１７にコイルばね１１３を係合させて組み込む。
【００１５】
次に、前ハウジング部１０２ｆを矢符Ａ方向で後ハウジング部１０２ｒに嵌合して相互に結合する。その後、固定用板金１０８を矢符Ｂ方向で後ハウジング部１０２ｒの表面に形成してある板金係止用凹部１０２ｐに係止して相互に結合し、さらに後ハウジング部１０２ｒおよび固定用板金１０８の表面にホルダーカバー（不図示）を取り付けて光伝送コネクタ１０１の完成構造としてある。
【００１６】
なお、後ハウジング部１０２ｒには固定用板金１０８に設けられた爪部１０８ｐを係止する係止穴１０２ｈが形成してあり、爪部１０８ｐと係止穴１０２ｈとを嵌合することにより、固定用板金１０８を後ハウジング部１０２ｒに固定して機械的強度を確保する構成としてある。
【００１７】
このような従来の光伝送コネクタ１０１は、組立構造が複雑であり、部品点数も多いことから製造コストが高くなるという問題があった。
【００１８】
また、コイルばね１１３についても、後ハウジング部１０２ｒに組み込んだ後の保持は前ハウジング部１０２ｆによる押圧固定のみであることから、コイルばね保持支柱１１７から外れる恐れがあるなど信頼性での問題があり、また、組立工程の複雑さによりコストが高くなるという問題があった。
【００１９】
また、光伝送コネクタ１０１を実装基板１４０に実装するとき、半田付けを行なうためにフラックスを用いることから、フラックスが前ハウジング部１０２ｆと後ハウジング部１０２ｒとの隙間から這い上がりシャッター板１１０の開閉に支障をきたすなどの問題があった。
【００２０】
また、固定用板金１０８の爪部１０８ｐと後ハウジング部１０２ｒの係止穴１０２ｈとを嵌合する場合に、嵌めこみ作業が容易ではなく、作業効率が低いという問題があった。
【００２１】
なお、従来の光伝送コネクタとして、特許文献１に開示されたものも知られている。
【特許文献１】特開２０００−１３１５６４号公報
【発明の開示】
【発明が解決しようとする課題】
【００２２】
本発明はこのような状況に鑑みてなされたものであり、光伝送コネクタのホルダー部を実装基板に固定するための固定用板金の固定用端子部に屈曲部を形成することにより、ホルダー部と実装基板との係合部分（当接部分）を固定用端子部の幅方向で線状に構成して当接部分（係合部分）を大きくし、固定強度（係合強度）が大きく、精度の高い組立が可能な光伝送コネクタを提供することを目的とする。
【００２３】
また、本発明に係る光伝送コネクタは、ばねの一端をシャッター板に取り付けてシャッター機構部を構成し、光プラグを挿入する挿入口を開閉するシャッター板（シャッター機構部）をホルダー部の外側から取り付けできる構成とすることにより、組立構造が簡単で、部品点数が少なく低コストでの生産が可能な光伝送コネクタを提供することを他の目的とする。
【００２４】
また、本発明に係る光伝送コネクタは、実装基板への実装時にフラックスが這い上がるのを防止するためホルダー部の底面に底面凹部を有する構成とすることにより、フラックスの影響を受けない信頼性の高い光伝送コネクタを提供することを他の目的とする。
【００２５】
また、本発明に係る電子機器は、本発明に係る光伝送コネクタを備えることにより、組立が容易で、信頼性が高く、低コストで生産することが可能な電子機器を提供することを他の目的とする。
【課題を解決するための手段】
【００２６】
本発明に係る光伝送コネクタは、光電効果素子を収容する素子収容部および光プラグを収容する光プラグ収容部を構成するホルダー部と、前記光プラグ収容部の開閉を行うシャッター機構部と、前記ホルダー部を実装基板に固定する固定用板金とを備える光伝送コネクタにおいて、前記固定用板金は、前記ホルダー部の底部から突出する固定用端子部の長さ方向に屈曲部を有することを特徴とする。
【００２７】
この構成により、固定用端子の屈曲部を実装基板に線状で係合できることから、係合強度が大きくなるのでホルダー部を実装基板に確実に固定することが可能となる。
【００２８】
本発明に係る光伝送コネクタでは、前記屈曲部は楔状であることを特徴とする。
【００２９】
この構成により、固定用端子部と実装基板との当接部分を大きくすることができることから、ホルダー部を実装基板により確実に固定することが可能となる。
【００３０】
本発明に係る光伝送コネクタでは、前記固定用板金は、前記ホルダー部に設けられた位置決め突起部に係合する位置決め凹部を有することを特徴とする。
【００３１】
この構成により、固定用板金をホルダー部に確実に位置決めすることができることから、ホルダー部を実装基板に精度良く固定することが可能となる。
【００３２】
本発明に係る光伝送コネクタでは、前記固定用板金は、前記ホルダー部に設けられた嵌合スリットに嵌合する構成としてあることを特徴とする。
【００３３】
この構成により、固定用板金を嵌合スリットで挟持することができることから、固定用板金とホルダー部との結合を強固にでき、ホルダー部を実装基板に強固に固定することが可能となる。
【００３４】
本発明に係る光伝送コネクタでは、前記固定用板金は、前記ホルダー部の左右側部に対称的に配置してあることを特徴とする。
【００３５】
この構成により、固定用板金は、ホルダー部を両側で挟持できることから、実装基板に対してホルダー部をより確実に固定することが可能となる。
【００３６】
本発明に係る光伝送コネクタでは、前記ホルダー部の左右側部に配置された前記固定用板金は、前記ホルダー部の上部で連結してあることを特徴とする。
【００３７】
この構成により、固定用板金は一体化されることから、確実にホルダー部を固定できると共に固定用板金をホルダー部に容易に組み合わせることができる。
【００３８】
本発明に係る光伝送コネクタでは、前記シャッター機構部のシャッター板は、シャッター板を閉じる方向に付勢するばねの一端を保持するばね端保持凹部を有することを特徴とする。
【００３９】
この構成により、簡単な構造で光プラグの挿入、抜き取りに応じて容易にシャッター板を開閉することができることから、高機能のシャッター機構部を有する光伝送コネクタとなる。
【００４０】
本発明に係る光伝送コネクタでは、前記シャッター板は、前記ばねを係合するばね取り付け軸を有することを特徴とする。
【００４１】
この構成により、ばねをシャッター板に取り付けることができるので、簡単な構造で組立が容易となり、安定した開閉動作を行うシャッター板とすることができ、信頼性の高いシャッター機構部を有する光伝送コネクタとなる。
【００４２】
本発明に係る光伝送コネクタでは、前記シャッター板は、前記ばねが外れることを防止するばね外れ防止部を前記ばね取り付け軸に対応させて有することを特徴とする。
【００４３】
この構成により、シャッター板の安定性が向上するので、シャッター機構部の組立作業性が向上し、また、ばね外れの生じない信頼性の高い光伝送コネクタとなる。
【００４４】
本発明に係る光伝送コネクタでは、光プラグを前記光プラグ収容部に挿入したとき、前記ばねは前記ホルダー内に収容される構成としてあることを特徴とする。
【００４５】
この構成により、ばねをシャッター板と共に収納することができることから、小型化、省スペース構造の光伝送コネクタとなる。
【００４６】
本発明に係る光伝送コネクタでは、光プラグを前記光プラグ収容部に挿入するとき、前記ばねの他端は前記ホルダー内を摺動する構成としてあることを特徴とする。
【００４７】
この構成により、シャッター板の開閉を円滑に行うことができることから、光プラグの抜挿を円滑に行うことが可能な光伝送コネクタとなる。
【００４８】
本発明に係る光伝送コネクタでは、前記ばねの他端は前記ホルダー内に設けたばねガイド溝部に沿って摺動することを特徴とする。
【００４９】
この構成により、ばねの他端の摺動をより確実に行うことができることから、シャッター機構部の動作が円滑で信頼性の高い光伝送コネクタとなる。
【００５０】
本発明に係る光伝送コネクタでは、前記ホルダーの底面は、前記シャッター機構部に対応させてフラックス這い上がり防止用の底面凹部を有することを特徴とする。
【００５１】
この構成により、実装基板へ光伝送コネクタを実装するときに実装基板からシャッター機構部への沿面距離を大きくすることができ、シャッター機構部へのフラックスの這い上がりを防止することができることから、実装基板への実装によるシャッター機構部への影響が生じず、確実なシャッター動作を行う光伝送コネクタとすることができる。
【００５２】
本発明に係る光伝送コネクタでは、前記光電効果素子は、受光素子または発光素子であることを特徴とする。
【００５３】
この構成により、発信、受信、送受信いずれの形態の光伝送であっても適用可能な光伝送コネクタとなる。
【００５４】
本発明に係る光伝送コネクタは、光プラグを接続してある光伝送コネクタにおいて、前記光伝送コネクタは本発明に係る光伝送コネクタであることを特徴とする。
【００５５】
この構成により、構成部品が少なく、精度の高い組立が容易で信頼性が高く、低コストで生産することができる光伝送コネクタとなる。
【００５６】
本発明に係る電子機器は、光伝送コネクタを備える電子機器において、前記光伝送コネクタは本発明に係る光伝送コネクタであることを特徴とする。
【００５７】
この構成により、構成部品が少なく、精度の高い組立が容易で信頼性が高く、低コストで生産することが可能な電子機器となる。
【発明の効果】
【００５８】
本発明に係る光伝送コネクタによれば、光伝送コネクタのホルダー部を実装基板に固定するための固定用板金の固定用端子部に屈曲部を形成することから、ホルダー部と実装基板との係合部分（当接部分）を固定用端子部の幅方向で線状に構成して当接部分（係合部分）を大きくでき、固定強度（係合強度）が大きく、精度の高い組立が可能な光伝送コネクタとすることができるという効果を奏する。
【００５９】
本発明に係る光伝送コネクタによれば、ばねの一端をシャッター板に取り付けてシャッター機構部を構成し、光プラグを挿入する挿入口を開閉するシャッター板（シャッター機構部）をホルダー部の外側から取り付けできる構成とすることから、組立構造が簡単で、部品点数が少なく低コストでの生産が可能な光伝送コネクタとすることができるという効果を奏する。
【００６０】
本発明に係る光伝送コネクタによれば、実装基板への実装時にフラックスが這い上がるのを防止するためホルダー部の底面に底面凹部を有する構成とすることから、フラックスの影響を受けない信頼性の高い光伝送コネクタとすることができるという効果を奏する。
【００６１】
本発明に係る電子機器によれば、本発明に係る光伝送コネクタを備えることから、組立が容易で、信頼性が高く、低コストで生産することが可能な電子機器とすることができるという効果を奏する。
【発明を実施するための最良の形態】
【００６２】
以下、本発明の実施の形態を図面に基づいて説明する。
【００６３】
＜実施の形態１＞
図１は、本発明の実施の形態１に係る光伝送コネクタを説明する説明図であり、（Ａ）はシャッター機構部を右手に配置して示した側面図であり、（Ｂ）は（Ａ）での点線楕円Ｂ部分の拡大分解斜視図であり、（Ｃ）は（Ａ）での点線楕円Ｃ部分の拡大分解斜視図である。
【００６４】
本実施の形態に係る光伝送コネクタ１は、筐体を構成するホルダー部２と、光プラグ３（図６参照）を収容する光プラグ収容部４（図５参照）の開閉を行なうシャッター機構部５と、光電効果素子（不図示）を収容する素子収容部６と、ホルダー部２を実装基板４０（図３参照）へ実装して固定するための固定用板金８とを備えている。なお、光電効果素子のリード端子７がホルダー部２の底部から突出してあり、リード端子７は実装基板４０に形成された配線パターンに適宜接続される。
【００６５】
なお、光電変換素子は、受光素子または発光素子とすることにより、発光素子による発信、受光素子による受信、発光素子および受光素子の併用による送受信いずれの形態での光伝送であっても適用可能な光伝送コネクタ１とすることができる。
【００６６】
固定用板金８は、ホルダー部２の側部に当接して係合され、適宜の位置でホルダー部２の底部から突出させて実装基板４０に嵌合できる固定用端子部８ｔを有する形状としてある。固定用板金８は、ホルダー部２の上部および左右の側部（図上、手前側の面が左側部、図示されない背面側の面が右側部）で相互に連結して一体化してあり、ホルダー部２のそれぞれの面（上部および左右側部）と当接することから、より強固にホルダー部２に係合し、ホルダー部２をより強固かつ確実に実装基板４０へ固定することができる。また、一体化して構成してあることから、固定用板金８は、ホルダー部２に対して容易に係合することが可能となる。
【００６７】
固定用板金８には、適宜の位置に切欠状に位置決め凹部８ｄが形成してあり、ホルダー部２には、位置決め凹部８ｄに対応させて位置決め突起部２ｐが形成してある。したがって、位置決め突起部２ｐに位置決め凹部８ｄを矢符Ｂで示すように係合させる（図１（Ｂ））ことにより固定用板金８をホルダー部２に対して確実に位置決めすることができる。固定用板金８をホルダー部２に対して確実に位置決めできることから、ホルダー部２を実装基板４０に高精度で組立、固定することが可能となる。
【００６８】
ホルダー部２には、適宜の位置に嵌合スリット２ｓが形成してあり、固定用板金８は嵌合スリット２ｓに嵌合する位置に配置される形状にしてある。したがって、嵌合スリット２ｓに固定用板金８を矢符Ｃで示すように嵌合する（図１（Ｃ））ことにより、嵌合スリット２ｓは固定用板金８を挟持する形態となる。つまり、固定用板金８とホルダー部２との結合強度を向上させることが可能となり、ホルダー部２を実装基板４０に強固に固定することが可能となる。
【００６９】
固定用板金８は、ホルダー部２の左右側部で左右対称となるように対称的に配置してあることから、ホルダー部２を両側から均等に挟持できることとなり、ホルダー部２を実装基板４０により確実に固定することが可能となる。
【００７０】
固定用端子部８ｔには、長さ方向に屈曲部８ｃが形成してある。屈曲部８ｃは、長さ方向に対して直交する楔状（図２参照）に折り曲げてあることから、実装基板４０に対して幅広状態で当接することとなり、実装基板４０に対する当接領域を広くすることができるので、安定した強固で確実な固定状態（保持状態）を得ることができる。つまり、ネジ止めしない自立型の光伝送コネクタ１（ホルダー部２）が実装基板４０に対して揺らぐような状態が生じることを防止することができる。
【００７１】
なお、シャッター機構部５については、図２以下で詳細を説明する。
【００７２】
図２は、本発明の実施の形態１に係る光伝送コネクタを説明する説明図であり、（Ａ）は光プラグの挿入側から一部を破断して見た正面図であり、（Ｂ）は（Ａ）の左側面図である。
【００７３】
光伝送コネクタ１は、ホルダー部２に固定用板金８を係合した後、ホルダー部２および固定用板金８をより確実に係合させて保護するためにホルダーカバー２ｃをホルダー部２（および固定用板金８）を覆う外周（上面および側面）に設けた状態としてある。なお、ホルダーカバー２ｃを用いない構成とすることも可能である。
【００７４】
ここでは、図１で示した光伝送コネクタ１の構成（特にシャッター機構部５）をさらに詳細に説明する。
【００７５】
光伝送コネクタ１は、ホルダー部２、シャッター機構部５、ホルダー部２を実装基板４０に固定する固定用板金８を備えている。固定用板金８は、固定用端子部８ｔをホルダー部２の底部から実装基板４０側に突出させている。固定用端子部８ｔは、長さ方向に交差する方向で楔状に折り曲げられた屈曲部８ｃを有する。
【００７６】
ホルダー部２の内部には、シャッター機構部５の側に光プラグ３を収容する光プラグ収容部４が構成してあり、シャッター機構部５と反対の側に光電効果素子を収容する素子収容部６が構成してある。なお、光電効果素子としては、受光素子（例えば、フォトトランジスタ）および発光素子（例えば、発光ダイオード、レーザーダイオード）がある。
【００７７】
素子収容部６は、受光素子を収容する受光素子部、発光素子を収容する発光素子部、受光素子および発光素子の両方を収容する受光発光素子部とすることができる。素子収容部６を受光素子で構成すれば光伝送での受信が可能となり、発光素子で構成すれば光伝送での発信が可能となる。また、受光素子および発光素子の両方を収容した場合には光伝送での送受信が可能となる。
【００７８】
シャッター機構部５は、光プラグ３の抜挿に応じて光プラグ収容部４の開閉を行なうシャッター板１０を備える。
【００７９】
シャッター板１０は、シャッター板１０をホルダー部２の内側に回転させて収納するための回転軸１０ａｕ、１０ａｄ（図４参照）を備えてあり、回転軸１０ａｕ、１０ａｄは、取り付け部１１が構成する取り付け部上端１１ｕおよび取り付け部下端１１ｄに形成された軸受け部１２ｕ、１２ｄにより回動可能に軸受け保持（軸支）される。
【００８０】
シャッター板１０は、光プラグ３を導くためのガイド溝としてプラグガイド溝１０ｐｇを正面（光プラグ３を挿入する方向に対応する面）に備えている。また、シャッター板１０の裏面には、シャッター板１０を閉じる方向に付勢するばね１３が取り付けられている。なお、ばね１３の一端腕部（摺動側ばね腕部１３ｓ）を摺動させるばねガイド溝部１５がホルダー部２の内側に形成してある（破断部分参照）。
【００８１】
取り付け部１１には、ホルダー部２の内側に回転させて収納したシャッター板１０が飛び出さないようにするための飛び出し防止凸部１６（図５参照）が設けてある。
【００８２】
図３は、本発明の実施の形態１に係る光伝送コネクタの固定用板金の作用を説明する説明図であり、（Ａ）は光プラグの挿入側から見た部分断面を含む正面図であり、（Ｂ）は（Ａ）の左側面図である。なお、同図（Ａ）の実装基板４０は嵌合孔４０ｈに対応する位置での断面を示し、同図（Ｂ）の実装基板４０は同図（Ａ）での矢符Ｂ−Ｂでの断面を示す。
【００８３】
光伝送コネクタ１を実装基板４０に装着した場合、ホルダー部２を実装基板４０に固定するための固定用板金８の先端に形成された固定用端子部８ｔは、実装基板４０に形成された嵌合孔４０ｈに挿入されてホルダー部２を実装基板４０に固定、保持する。
【００８４】
固定用端子部８ｔに形成された屈曲部８ｃは、長さ方向と交差する方向で折り曲げて楔状（キンク形状）としてあり、折り曲げ位置は実装基板４０の板厚と整合させてあることから、折り曲げ位置で嵌合孔４０ｈと当接、係合することとなる。
【００８５】
固定用端子部８ｔは幅広に形成してある（長さ方向と交差する方向で幅を有する）ことから、屈曲部８ｃは幅方向で線状に嵌合孔４０ｈと当接することになり、当接部分（係合部分）を大きくすることができるので、固定強度（係合強度）を大きくすることができる。
【００８６】
したがって、固定用端子部８ｔはホルダー部２を安定的かつ確実に実装基板４０に固定することができ、自立型の光伝送コネクタ１を安定的かつ確実に保持することが可能となる。つまり、本実施の形態に係る光伝送コネクタ１（固定用板金８）によれば、従来例で示した光伝送コネクタ１での点による保持に比較してより強力な固定保持が可能となることから、光伝送コネクタ１は、外力に対して安定することとなり、外力を受けても揺動することがない。
【００８７】
図４は、本発明の実施の形態１に係る光伝送コネクタのシャッター機構部、シャッター板を説明する説明図であり、（Ａ）は光プラグの挿入側から見たシャッター機構部、シャッター板の正面図であり、（Ｂ）は（Ａ）の背面図であり、（Ｃ）は（Ａ）の左側面図である。
【００８８】
シャッター板１０の正面（光プラグ３の挿入側）には、シャッター板１０を押圧し、シャッター板１０を光プラグ収容部４に収容できるように光プラグ３の先端を導くためのプラグガイド溝１０ｐｇが形成してあり、シャッター板１０は上下端の回転中心となる位置に回転軸１０ａｕ、１０ａｄを有し、回転軸１０ａｕ、１０ａｄを回転中心として光プラグ収容部４の側へ回転する構成としてある。
【００８９】
シャッター板１０の裏面（光プラグ収容部４側の面）には、基台１０ｂが肉厚状に形成してあり、基台１０ｂにはばね１３を取り付けるためのばね取り付け軸１７がシャッター板１０の平面と平行な方向に設けてある。
【００９０】
ばね１３はねじりコイルばねで構成してあり、中央にコイル部、両端に可動性の腕部を有している。ばね１３は、コイル部をばね取り付け軸１７に係合させて取り付けられる。ばね１３（ねじりコイルばね）の一端腕部（保持側ばね腕部１３ｈ）は、溝状に形成されたばね端保持凹部１４に嵌合されて、ばね１３がシャッター板１０と連結して一体化され、安定的に保持される構成としてある。なお、ばね１３の他の一端腕部（摺動側ばね腕部１３ｓ）は、自由端としてあり、ホルダー部２の内側に形成されたばねガイド溝部１５（図２、図５参照）に当接する構成としてある。
【００９１】
また、ばね取り付け軸１７の先端に対応させてばね１３が外れるのを防止するためのばね外れ防止部としてばね外れ防止凸部１８が形成してある。この構成により、シャッター板１０が回動してばね１３に外力が加わる状態となった場合でも、ばね１３はばね取り付け軸１７から飛び出すことはない。
【００９２】
シャッター板１０は、基台１０ｂ、回転軸１０ａｕ、１０ａｄ、プラグガイド溝１０ｐｇ、ばね端保持凹部１４、ばね取り付け軸１７、ばね外れ防止凸部１８を含めて合成樹脂などを一体成型することにより形成することができる。
【００９３】
図５は、本発明の実施の形態１に係る光伝送コネクタのシャッター板の開閉状態を説明する説明図であり、（Ａ）は閉扉状態でのシャッター板を示す部分断面平面図であり、（Ｂ）は開扉状態でのシャッター板を示す部分断面平面図である。
【００９４】
シャッター機構部５は、シャッター板１０の回転軸１０ａｕ、１０ａｄを軸受け部１２ｕ、１２ｄに図上左側から嵌合させることによりホルダー部２の外部からシャッター板１０を組み立てる（取り付ける）ことにより構成される。つまり、シャッター機構部５はホルダー部２の外部から取り付けて構成することから、光伝送コネクタ１の構成を簡単にして組み立て工程を簡略化することができる。
【００９５】
回転軸１０ａｕ、１０ａｄは、軸受け部１２ｕ、１２ｄにより軸支されることから、シャッター板１０は回転軸１０ａｕ、１０ａｄ（軸受け部１２ｕ、１２ｄ）を回転中心としてホルダー部２の内側に構成された光プラグ３を収容する光プラグ収容部４の方向へ自在に回動することが可能となる。
【００９６】
シャッター板１０に正面方向（光プラグ３の挿入方向）から外力が加えられない場合には、ねじりコイルばねで構成されたばね１３は、一端腕部を構成する保持側ばね腕部１３ｈがシャッター板１０の裏面に固定保持されてあり、他端腕部を構成する摺動側ばね腕部１３ｓがばねガイド溝部１５を押圧することとなるから、シャッター板１０を閉じる方向に付勢することができ、シャッター板１０を閉扉状態とすることとなる（同図（Ａ））。
【００９７】
この構成によれば、摺動側ばね腕部１３ｓは、ばねガイド溝部１５に当接されることから、ばねガイド溝部１５により位置決めされ摺動以外の動作をすることはできないので、シャッター板１０がホルダー部２（取り付け部１１）から外れることはない。
【００９８】
シャッター板１０に正面方向（光プラグ３の挿入方向）から光プラグ３（ここでは不図示）が挿入されることにより外力が加えられた場合では、シャッター板１０は、外力に応じて内側へ回動し、最終的には挿入口１１ｍと交差する方向で光プラグ収容部４（ホルダー部２の内部）に収容された状態となり、開扉状態となる（同図（Ｂ））。このとき、ばね１３もシャッター板１０と共にホルダー部２の内部に収容される構成としてある。
【００９９】
開扉状態では、シャッター板１０に固定された保持側ばね腕部１３ｈに対応する自由端としての摺動側ばね腕部１３ｓは、ホルダー部２の内側（ばねガイド溝部１５）に沿って摺動し、光プラグ３が完全に収容されたときには、ばねガイド溝部１５に完全に押圧されてばね反発力を留保した状態とされる。したがって、外力が除去されるとばね反発力によりばね３による復元力がシャッター板１０に作用し、シャッター板１０は元の閉扉状態に戻ることとなる。
【０１００】
また、ばね１３がばね反発力などにより、ホルダー部２の内部から外側へ飛び出さないように、摺動側ばね腕部１３ｓ（ばね１３）が収容されるばねガイド溝部１５の外側に対応する位置に飛び出し防止凸部１６を設けてある。なお、飛び出し防止凸部１６は、この形態に限るものではなく種々の形態をとることができる。
【０１０１】
図６は、本発明の実施の形態１に係る光伝送コネクタと光プラグとの関係を説明する説明図であり、（Ａ）は光プラグを挿入する前の状態について一部を破断して示す部分断面平面図であり、（Ｂ）は光プラグを挿入した後の状態について示す部分断面平面図である。
【０１０２】
光伝送コネクタ１の構成は、図５などで示したものと同一であるので詳細な説明は省略する。
【０１０３】
光プラグ３は、一般的に、外装を構成する光プラグハウジング３１、光プラグ３に挿入される光プラグ挿入部３２、光プラグ挿入部３２の位置決めを確実にするために光プラグ挿入部３２の側面に形成された位置決め突起３３および光信号を伝送する光ファイバー部３４により構成される（同図（Ａ））。
【０１０４】
光プラグ３を矢符Ｂ方向（同図（Ａ））に移動させて、シャッター板１０を光プラグ挿入部３２により押すことにより光プラグ３（光プラグ挿入部３２）を光伝送コネクタ１の光プラグ収容部４へ挿入する（同図（Ｂ））。位置決め突起３３により上下方向での安定性を確保し、光プラグ挿入部３２の上下方向での揺動を防止することができる。
【０１０５】
図７は、本発明の実施の形態１に係る光伝送コネクタの底面に形成した底面凹部を説明する説明図であり、（Ａ）は底面図であり、（Ｂ）は（Ａ）の矢符Ｂ−Ｂ方向での断面について内部構造を省略して示す断面図である。
【０１０６】
ホルダー部２の底面２０に、シャッター機構部５に対応させて肉盗み部として底面凹部２１を形成してある。この構成により、フラックスに対する沿面距離を大きくすることができることから、光伝送コネクタ１（ホルダー部２）を実装基板４０に実装する場合にフラックスが這い上がってシャッター機構部５（シャッター板１０）に到達し、シャッター機構部５の動作を妨害するという問題の発生を防止することができる。つまり、確実なシャッター動作を行なうシャッター機構部５を有する信頼性の高い光伝送コネクタ１とすることができる。
【０１０７】
＜実施の形態２＞
本実施の形態に係る電子機器（不図示）は、実施の形態１に記載した光伝送コネクタ１に光プラグ３を接続し、光伝送コネクタ１を電子機器の実装基板４０に実装した電子機器としてある。
【０１０８】
したがって、構成が簡単で構成部品も少ないことから、組立が容易で、信頼性が高く、低コストで生産することが可能な電子機器とすることが可能となる。
【図面の簡単な説明】
【０１０９】
【図１】本発明の実施の形態１に係る光伝送コネクタを説明する説明図であり、（Ａ）はシャッター機構部を右手に配置して示した側面図であり、（Ｂ）は（Ａ）での点線楕円Ｂ部分の拡大分解斜視図であり、（Ｃ）は（Ａ）での点線楕円Ｃ部分の拡大分解斜視図である。
【図２】本発明の実施の形態１に係る光伝送コネクタを説明する説明図であり、（Ａ）は光プラグの挿入側から一部を破断して見た正面図であり、（Ｂ）は（Ａ）の左側面図である。
【図３】本発明の実施の形態１に係る光伝送コネクタの固定用板金の作用を説明する説明図であり、（Ａ）は光プラグの挿入側から見た部分断面を含む正面図であり、（Ｂ）は（Ａ）の左側面図である。
【図４】本発明の実施の形態１に係る光伝送コネクタのシャッター機構部、シャッター板を説明する説明図であり、（Ａ）は光プラグの挿入側から見たシャッター機構部、シャッター板の正面図であり、（Ｂ）は（Ａ）の背面図であり、（Ｃ）は（Ａ）の左側面図である。
【図５】本発明の実施の形態１に係る光伝送コネクタのシャッター板の開閉状態を説明する説明図であり、（Ａ）は閉扉状態でのシャッター板を示す部分断面平面図であり、（Ｂ）は開扉状態でのシャッター板を示す部分断面平面図である。
【図６】本発明の実施の形態１に係る光伝送コネクタと光プラグとの関係を説明する説明図であり、（Ａ）は光プラグを挿入する前の状態について一部を破断して示す部分断面平面図であり、（Ｂ）は光プラグを挿入した後の状態について示す部分断面平面図である。
【図７】本発明の実施の形態１に係る光伝送コネクタの底面に形成した底面凹部を説明する説明図であり、（Ａ）は底面図であり、（Ｂ）は（Ａ）の矢符Ｂ−Ｂ方向での断面について内部構造を省略して示す断面図である。
【図８】従来の光伝送コネクタを光プラグの挿入側から見た正面図である。
【図９】従来の光伝送コネクタの固定用板金の作用を説明する説明図であり、（Ａ）は光プラグの挿入側から見た部分断面を含む正面図であり、（Ｂ）は（Ａ）の左側面図である。
【図１０】従来の光伝送コネクタの組立状況を説明する分解側面図である。
【符号の説明】
【０１１０】
１  光伝送コネクタ
２  ホルダー部
２ｃ  ホルダーカバー
２ｐ  位置決め突起部
２ｓ  嵌合スリット
３  光プラグ
４  光プラグ収容部
５  シャッター機構部
６  素子収容部
７  リード端子
８  固定用板金
８ｃ  屈曲部
８ｄ  位置決め凹部
８ｔ  固定用端子部
１０  シャッター板
１０ａｕ、１０ａｄ  回転軸
１０ｂ  基台
１０ｐｇ  プラグガイド溝
１１  取り付け部
１１ｕ  取り付け部上端
１１ｄ  取り付け部下端
１１ｍ  挿入口
１２ｕ、１２ｄ  軸受け部
１３  ばね
１３ｈ  保持側ばね腕部
１３ｓ  摺動側ばね腕部
１４  ばね端保持凹部
１５  ばねガイド溝部
１６  飛び出し防止凸部
１７  ばね取り付け軸
１８  ばね外れ防止凸部
２０  底面
２１  底面凹部
３１  光プラグハウジング
３２  光プラグ挿入部
３３  位置決め突起
３４  光ファイバー
４０  実装基板
４０ｈ  嵌合孔
【図１】
2007065366.tif 000003
【図２】
2007065366.tif 000004
【図３】
2007065366.tif 000005
【図４】
2007065366.tif 000006
【図５】
2007065366.tif 000007
【図６】
2007065366.tif 000008
【図７】
2007065366.tif 000009
【図８】
2007065366.tif 000010
【図９】
2007065366.tif 000011
【図１０】
2007065366.tif 000012